(57)【要約】      （修正有）【課題】単純かつ低コストな構造を有する２つの引手を有するジップファスナ用スライダを提供する。【解決手段】スライダ１は、ファスナの歯部Ｄｉの両側に位置する２つのレバー５，６を収容する中空体４を有する。２つのレバー５，６のうちの一方５は、スライダ１をロックするために歯部Ｄｉ間に挿入された爪部７を備えている。スライダは、引手２，３のうちのいずれを操作しても中空体４内の爪部を歯部Ｄｉ間に挿入された状態に保つ弾性部材の抵抗を上回ることにより動作可能である。このスライダ１において、弾性部材は、爪部７を備えたレバー５に固定された一端部８ｅを有し弾性可撓ストリップ８を含む。ストリップ８は、中空体４の内壁４ｐに対面しつつ中空体４とレバー５の間に位置しており、その弾性抵抗は歯部Ｄから爪部７を引き抜くレバー５の動作に対抗する。【選択図】図１
0003104465.tif 000002
【実用新案登録請求の範囲】
【請求項１】
２つの引手（２，３）を有するジップファスナ用のスライダ（１）であって、前記スライダは、ファスナの歯部（Ｄｉ）の両側に配置された２つのレバー（５，６）を収容する中空体（４）を有し、２つのレバー（５，６）のうちの一方（５）は、前記スライダ（１）をロックするために前記歯部（Ｄｉ）間に挿入された爪部（７）を備えており、前記スライダは、前記引手（２，３）のうちのいずれを操作しても前記中空体（４）内で前記爪部を前記歯部（Ｄｉ）間に挿入された状態に保つ弾性部材の抵抗を上回ることによって動作可能である構成において、前記弾性部材は、前記爪部（７）を備えた前記レバー（５）に固定された一端部（８ｅ）を有し弾性可撓ストリップ（８）で構成され、前記ストリップ（８）は、前記中空体（４）の内壁（４ｐ）に対面しつつ前記中空体（４）と前記レバー（５）の間に位置しており、その弾性抵抗は歯部（Ｄ）から前記爪部（７）を引き抜くレバー（５）の動作に対抗することを特徴とする、スライダ。
【請求項２】
前記２つのレバー（５，６）および前記弾性可撓ストリップ（８）は、金属材料からなる、請求項１に記載のスライダ。
【請求項３】
前記２つのレバー（５，６）および前記弾性可撓ストリップ（８）は、プラスチック材料からなる、請求項１に記載のスライダ。
【考案の詳細な説明】
【技術分野】
【０００１】
本考案は、ジップファスナの技術分野に属する。特に本考案は、互いに向き合う平行な２列の歯部を連結および解放することによりジップファスナを開閉するスライダーとして知られる部品に関する。
【背景技術】
【０００２】
より具体的には、本考案は２つの引手および２つの連結リングを備えたタイプのスライダに関する。２つの連結リングは、ジップファスナ面を挟んで配置されている。一方のリングが引っ張られると、ロック部材が歯部から解放されて、スライダは所望の方向へ動く。ロック部材は、歯部間に挿入されてスライダの不要な動きを防止する。
【０００３】
この種のスライダの従来例は下記特許文献１に開示されている。
【０００４】
【特許文献１】米国特許第４１２３８２８号（ＹＫＫ）
【０００５】
スライダの中空体は、互いに接触しつつ前述の２つの引手のリングに連結された２つの干渉レバーを収容している。これらのレバーは、いずれのレバーを操作しても一方のレバーのロック爪が歯部から解放されるように配置されている。
【０００６】
スライダは移動後、ファスナの歯部におけるロック位置に爪部を戻すための弾性手段を備えている。前述のレバーに対する１つの引手の作用が停止すると、爪部は弾性手段により歯部間に戻される。
【０００７】
上記に引用したＹＫＫの特許および先行技術一般において、弾性手段は弾性可撓体で構成され、スライダの中空体内に備えられている。弾性手段は、爪部を保持するレバーと接触することにより、爪部をファスナの歯部から引き抜くレバーの動きに対抗するように構成されている。
【０００８】
しかしながら、弾性手段（上述のＹＫＫの特許では可撓ストリップ）を使用すると、比較的長く面倒な組立作業が必要である。２つの引手を有するスライダは比較的低コストな製品であるため、このような作業により生じるコスト増は無視できない。
【考案の開示】
【考案が解決しようとする課題】
【０００９】
本考案の課題は、単純かつ低コストな構造を有する２つの引手を有するジップファスナ用スライダを提供することである。
【課題を解決するための手段】
【００１０】
本出願のスライダの考案者は、簡単かつ経済的で信頼性の高い解決方法を求めた結果、上述のようなタイプのスライダを考案した。爪部をロック位置に戻す弾性手段は、爪部まで伸びたレバーの一部を構成し弾性可撓ストリップからなる。このストリップは、当該レバーと一体に形成された端部を有し、スライダの中空体の内壁に対面している。ストリップは中空体とレバーの間に位置し、弾性抵抗により爪部をファスナの歯部から引き抜く当該レバーの動きに対抗する。
【考案を実施するための最良の形態】
【００１１】
本考案のスライダの好適な実施例について、添付図面を参照しながら詳細に説明する。
【００１２】
図１は、本考案に関わる２つの引手２および３を有するスライダ１が既知のタイプのスライダと部品の配置に関してどのように類似しているかを示す。Ｌ字型のレバー５，６は、中空体４内に配置されている。これらのレバーは、端部において接触して互いに干渉し合っており、歯部Ｄｉ（図面では概略のみ表示）が占める領域の反対側に収容されている。
【００１３】
２つのレバー５，６はそれぞれ引手２、３のリング２ｒ、３ｒに連結され、どちらかの引手を引くと（図２および３参照）、図面において符号５で示されたレバーの回転（矢印Ｒ方向）を直接または間接的に引き起こす。これにより、レバーの端部に続くように構成され、スライダ１を上述のようにロックするために歯部Ｄｉに挿入された爪部７は、歯部Ｄｉから引き抜かれる。このように、ファスナ（完全には図示されていない）の不用意な開閉を引き起こすスライダの動きを防止できる。このシステムは、従来から知られている。本考案の新規性は、スライダ１の中空体４の内壁４ｐに対面するように形成及び配置された弾性ストリップ８の端部８ｅが爪部７を保持するレバー５の後部に固定されていることである。図２および３に示すように、レバーを回転させると、ストリップ８の湾曲に対する弾性抵抗を上回り、爪部７は歯部Ｄｉから引き抜かれる。２つの引手２、３にリング２ｒ、３ｒを通じて印加された力が取り除かれると、レバー５および爪部７は、ストリップ８の弾性力により、図１に示された初期のロック位置に戻る。
【００１４】
図に示された実施例からわかるように、レバー５とストリップ８は、単一体（ワンピース）として組み合わされている。したがって、レバーとストリップのアセンブリは、１つの作業工程で生産することができる。
【００１５】
本考案のスライダ１の部品に、より高度な信頼性およびより長期の耐久寿命を与えるために、レバー５，６とストリップ８を、たとえば鉄のような湾曲耐性および疲労耐性に優れた金属材料もしくはプラスチック材料で作ることが好ましい。
【００１６】
ストリップ８は図のように配置されていてもよいし、図示はしていないが、爪部７を保持するレバー５の自由端５１と一体に形成された端部を有していてもよい。
【図面の簡単な説明】
【００１７】
【図１】２つのレバーのうち一方の端部に続く爪部がファスナの歯部間に挿入された状態における、本考案の実施形態の一例を示す縦断面図である。
【図２】スライダの２つの引手の一方を引くことにより、ファスナの歯部から爪部が解放された状態を示す、図１と同様の縦断面図である。
【図３】スライダの２つの引手の他方を引くことにより、ファスナの歯部から爪部が解放された状態を示す、図１と同様の縦断面図である。
【図１】
0003104465.tif 000003
【図２】
0003104465.tif 000004
【図３】
0003104465.tif 000005